(57)【要約】【課題】分電盤内の複数の分岐ブレーカから各電気機器へ供給される供給電気量を測定することができる電気測定装置において、設置場所が少なくて済む当該電気測定装置を提供する。【解決手段】電気測定装置２００は、分電盤内の複数の分岐ブレーカ１５０Ａ〜１５０Ｄから各電気機器へ供給される供給電気量を測定することができる。電気測定装置２００は、電気測定部１０Ａ，１０Ｂとマトリックススイッチ６０とを備えている。電気測定部１０Ａ，１０Ｂは、各分岐ブレーカ１５０Ａ〜１５０Ｄからの供給電気量の各々を測定対象とし、分岐ブレーカ１５０Ａ〜１５０Ｄの数よりも数が少ない。マトリックススイッチ６０は、分岐ブレーカ１５０Ａ〜１５０Ｄと電気測定部１０Ａ，１０Ｂとの間に配設され、電気測定部１０Ａ，１０Ｂの測定対象を切替えることが可能である。【選択図】  図７
2010038738.tif 000002
【特許請求の範囲】
【請求項１】
分電盤内の複数の分岐ブレーカから各電気機器へ供給される供給電気量を測定する電気測定装置であって、
各前記分岐ブレーカからの前記供給電気量の各々を測定対象とし、前記分岐ブレーカの数よりも少ない数の電気測定部と、
前記分岐ブレーカと前記電気測定部との間に配設され、前記電気測定部の前記測定対象を切替えることが可能な第一の切替え部とを、
備えている、
ことを特徴とする電気測定装置。
【請求項２】
前記第一の切替え部は、
マトリックススイッチであり、
前記マトリックススイッチを制御する制御部を、さらに備えている、
ことを特徴とする請求項１に記載の電気測定装置。
【請求項３】
前記制御部は、
前記電気測定部における前記測定対象の連続測定時間が設定されており、
所定の前記電気測定部に一の前記測定対象を前記連続測定時間測定させた後、前記所定の電気測定部に他の前記測定対象を前記連続測定時間測定させるように、前記マトリックススイッチを制御する、
ことを特徴とする請求項２に記載の電気測定装置。
【請求項４】
前記制御部は、
各前記分岐ブレーカからの前記供給電気量の時間変動を各々監視しており、
前記監視の結果、前記時間変動が大きい前記測定対象ほど、前記電気測定部における所定の単位時間における測定時間を長くするように、前記マトリックススイッチを制御する、
ことを特徴とする請求項２に記載の電気測定装置。
【請求項５】
前記制御部は、
前記電気測定部における前記測定対象の連続測定最小時間が設定されており、
前記測定対象の連続測定時間が、前記連続測定最小時間未満とならないように、前記マトリックススイッチを制御する、
ことを特徴とする請求項３または請求項４に記載の電気測定装置。
【請求項６】
前記制御部は、
第一の期間の所定の前記測定対象の測定結果である第一の測定値と、前記第一の期間経過後から所定の時間後に開始された第二の期間の前記所定の測定対象の測定結果である第二の測定値とを、有しており、
前記第一の測定値と前記第二の測定値とを用いて、前記所定の期間における前記測定対象の仮想測定値を求める、
ことを特徴とする請求項３または請求項４に記載の電気測定装置。
【請求項７】
前記制御部は、
前記第一の測定値と前記第二の測定値との平均を算出することにより、前記仮想測定値を求める、
ことを特徴とする請求項６に記載の電気測定装置。
【請求項８】
前記電気測定部は、
２以上であり、
前記電気測定部と前記制御部との間に配設され、前記電気測定部と前記制御部との択一的な接続を順次切替えることができる第二の切替え部を、さらに備えており、
前記択一的な接続時において、前記電気測定部は、
前記制御部へ前記測定結果を送信する、
ことを特徴とする請求項１に記載の電気測定装置。
【請求項９】
外部装置との通信を可能せしめる通信部を、さらに備えており、
前記通信部は、
前記制御部が保持していた前記測定結果を、外部装置へ送信する、
ことを特徴とする請求項８に記載の電気測定装置。
【請求項１０】
分電盤内の複数の分岐ブレーカから各電気機器へ供給される供給電気量を測定する電気測定装置であって、
各前記分岐ブレーカからの前記供給電気量の各々を測定対象とし、前記分岐ブレーカと同数の電気測定部と、
前記電気測定部の測定結果を管理する制御部と、
前記電気測定部と前記制御部との間に配設され、前記電気測定部と前記制御部との択一的な接続を順次切替えることができる切替え部とを、
備えており、
前記択一的な接続時において、前記電気測定部は、
前記制御部へ前記測定結果を送信する、
ことを特徴とする電気測定装置。
【請求項１１】
前記制御部は、
各前記電気測定部に対する識別情報が設定されており、
前記識別情報毎に、当該識別情報に対応する前記電気測定部からの前記測定結果を管理する、
ことを特徴とする請求項１０に記載の電気測定装置。
【請求項１２】
外部装置との通信を可能せしめる通信部を、さらに備えており、
前記制御部は、
所定時間の間、前記電気測定部から送信される前記測定結果を随時保持し、
前記所定時間経過後、前記通信部は、
前記制御部が保持していた前記測定結果を、前記識別情報と共に外部装置へ送信する、
ことを特徴とする請求項１１に記載の電気測定装置。
【請求項１３】
前記通信部は、
電力線通信を行うＰＬＣ部である、
ことを特徴とする請求項９または請求項１２に記載の電気測定装置。
【発明の詳細な説明】
【技術分野】
【０００１】
この発明は、電気測定装置に係る発明であり、特に、分電盤において設置され、分岐ブレーカから各電気機器へ供給される供給電気量を測定することができる電気測定装置に関するものである。
【背景技術】
【０００２】
電気機器とコンセントとの間に配設され、前記電気機器に供給される電気量を測定することができる電気測定装置が存在する。一方、電器機器毎に電気測定装置を各々設けることを回避する方法として、分岐ブレーカから各電気機器へ供給される供給電気量を測定する電気測定装置を、分電盤に設ける方法が考えられる（たとえば、特許文献１，２，３参照）。
【０００３】
【特許文献１】特開２００１−１０３６２１号公報
【特許文献２】特開２００１−１１２１２３号公報
【特許文献３】特開２００５−２４９６８３号公報
【発明の開示】
【発明が解決しようとする課題】
【０００４】
上記のように、分電盤に電気測定装置を各々配設することにより、電気測定装置を一箇所で管理することができる。しかしながら、分電盤内には余分なスペースがあまり設けられていないので、配設される電気測定装置の小型化が必要不可欠である。
【０００５】
そこで、本発明は、分電盤内の複数の分岐ブレーカから各電気機器へ供給される供給電気量を測定することができる電気測定装置において、設置場所が少なくて済む当該電気測定装置を提供することを目的とする。
【課題を解決するための手段】
【０００６】
上記の目的を達成するために、本発明に係る請求項１に記載の電気測定装置は、分電盤内の複数の分岐ブレーカから各電気機器へ供給される供給電気量を測定する電気測定装置であって、各前記分岐ブレーカからの前記供給電気量の各々を測定対象とし、前記分岐ブレーカの数よりも少ない数の電気測定部と、前記分岐ブレーカと前記電気測定部との間に配設され、前記電気測定部の前記測定対象を切替えることが可能な第一の切替え部とを、備えている。
【０００７】
また、本発明に係る請求項２に記載の電気測定装置は、請求項１に記載の電気測定装置であって、前記第一の切替え部は、マトリックススイッチであり、前記マトリックススイッチを制御する制御部を、さらに備えている。
【０００８】
また、本発明に係る請求項３に記載の電気測定装置は、請求項２に記載の電気測定装置であって、前記制御部は、前記電気測定部における前記測定対象の連続測定時間が設定されており、所定の前記電気測定部に一の前記測定対象を前記連続測定時間測定させた後、前記所定の電気測定部に他の前記測定対象を前記連続測定時間測定させるように、前記マトリックススイッチを制御する。
【０００９】
また、本発明に係る請求項４に記載の電気測定装置は、請求項２に記載の電気測定装置であって、前記制御部は、各前記分岐ブレーカからの前記供給電気量の時間変動を各々監視しており、前記監視の結果、前記時間変動が大きい前記測定対象ほど、前記電気測定部における所定の単位時間における測定時間を長くするように、前記マトリックススイッチを制御する。
【００１０】
また、本発明に係る請求項５に記載の電気測定装置は、請求項３または請求項４に記載の電気測定装置であって、前記制御部は、前記電気測定部における前記測定対象の連続測定最小時間が設定されており、前記測定対象の連続測定時間が、前記連続測定最小時間未満とならないように、前記マトリックススイッチを制御する。
【００１１】
また、本発明に係る請求項６に記載の電気測定装置は、請求項３または請求項４に記載の電気測定装置であって、前記制御部は、第一の期間の所定の前記測定対象の測定結果である第一の測定値と、前記第一の期間経過後から所定の時間後に開始された第二の期間の前記所定の測定対象の測定結果である第二の測定値とを、有しており、前記第一の測定値と前記第二の測定値とを用いて、前記所定の期間における前記測定対象の仮想測定値を求める。
【００１２】
また、本発明に係る請求項７に記載の電気測定装置は、請求項６に記載の電気測定装置であって、前記制御部は、前記第一の測定値と前記第二の測定値との平均を算出することにより、前記仮想測定値を求める。
【００１３】
また、本発明に係る請求項８に記載の電気測定装置は、請求項１に記載の電気測定装置であって、前記電気測定部は、２以上であり、前記電気測定部と前記制御部との間に配設され、前記電気測定部と前記制御部との択一的な接続を順次切替えることができる第二の切替え部を、さらに備えており、前記択一的な接続時において、前記電気測定部は、前記制御部へ前記測定結果を送信する。
【００１４】
また、本発明に係る請求項９に記載の電気測定装置は、請求項８に記載の電気測定装置であって、外部装置との通信を可能せしめる通信部を、さらに備えており、前記通信部は、前記制御部が保持していた前記測定結果を、外部装置へ送信する。
【００１５】
また、本発明に係る請求項１０に記載の電気測定装置は、分電盤内の複数の分岐ブレーカから各電気機器へ供給される供給電気量を測定する電気測定装置であって、各前記分岐ブレーカからの前記供給電気量の各々を測定対象とし、前記分岐ブレーカと同数の電気測定部と、前記電気測定部の測定結果を管理する制御部と、前記電気測定部と前記制御部との間に配設され、前記電気測定部と前記制御部との択一的な接続を順次切替えることができる切替え部とを、備えており、前記択一的な接続時において、前記電気測定部は、前記制御部へ前記測定結果を送信する。
【００１６】
また、本発明に係る請求項１１に記載の電気測定装置は、請求項１０に記載の電気測定装置であって、前記制御部は、各前記電気測定部に対する識別情報が設定されており、前記識別情報毎に、当該識別情報に対応する前記電気測定部からの前記測定結果を管理する。
【００１７】
また、本発明に係る請求項１２に記載の電気測定装置は、請求項１１に記載の電気測定装置であって、外部装置との通信を可能せしめる通信部を、さらに備えており、前記制御部は、所定時間の間、前記電気測定部から送信される前記測定結果を随時保持し、前記所定時間経過後、前記通信部は、前記制御部が保持していた前記測定結果を、前記識別情報と共に外部装置へ送信する。
【００１８】
また、本発明に係る請求項１３に記載の電気測定装置は、請求項９または請求項１２に記載の電気測定装置であって、前記通信部は、電力線通信を行うＰＬＣ部である。
【発明の効果】
【００１９】
本発明の請求項１および請求項２に記載の電気測定装置は、各分岐ブレーカからの供給電気量の各々を測定対象とし、分岐ブレーカの数よりも少ない数の電気測定部を備えている。さらに、電気測定装置は、分岐ブレーカと電気測定部との間に配設され、電気測定部の測定対象を切替えることが可能な第一の切替え部を備えている。また、第一の切替え部としてマトリックススイッチを採用でき、マトリックススイッチを制御する制御部を備えている。
【００２０】
したがって、電気測定部の配設数を削減できるので、分電盤（若しくは、分電盤付近）において、当該電気測定装置の設置面積を削減することができる。
【００２１】
また、本発明に係る請求項３に記載の電気測定装置では、制御部は、所定の電気測定部に一の測定対象を連続測定時間測定させた後、所定の電気測定部に他の測定対象を前記連続測定時間測定させるように、マトリックススイッチを制御する。
【００２２】
したがって、各測定対象の測定時間を均等に割り振ることができる。
【００２３】
また、本発明に係る請求項４に記載の電気測定装置では、制御部は、各分岐ブレーカからの供給電気量の時間変動を各々監視している。そして、制御部は、当該監視の結果、時間変動が大きい測定対象ほど、電気測定部における所定の単位時間における測定時間を長くするように、マトリックススイッチを制御する。
【００２４】
したがって、電気供給量の時間変動が大きな測定対象においては、極力、実測定値を取得することになる。よって、当該電気供給量の時間変動が大きな測定対象において、正確な電気供給量情報を取得することができる。
【００２５】
また、本発明に係る請求項５に記載の電気測定装置では、制御部は、測定対象の連続測定時間が、設定されている連続測定最小時間未満とならないように、マトリックススイッチを制御する。
【００２６】
したがって、電気機器に極めて小さい待機電力が供給されている場合においても、電気測定部が当該待機電力の電気供給量を所定の値として測定できる。
【００２７】
また、本発明に係る請求項６に記載の電気測定装置では、制御部は、実測値を用いて仮想測定値を求める。
【００２８】
したがって、分岐ブレーカの数よりも少ない数の電気測定部により各電気供給量を測定することにより生じる弊害、つまり電気供給量の測定しない期間が生じるという弊害を、当該仮想測定値を用いて電気供給量の測定しない期間を補完することにより、解消することができる。
【００２９】
また、本発明に係る請求項７に記載の電気測定装置では、制御部は、実測値の平均を算出することにより仮想測定値を求める。
【００３０】
このように、仮想測定値は、極めて簡単な演算処理により導出されるので、制御部における仮想測定値が求まるまでの処理の高速化が可能となり、仮想測定値を求める処理による制御部における処理負担の軽減も可能となる。
【００３１】
また、本発明に係る請求項８および請求項１０に記載の電気測定装置では、電気測定部は２以上であり、電気測定部と制御部との択一的な接続を順次切替えることができる第二の切替え部を備えている。そして、当該択一的な接続時において、電気測定部は、制御部へ測定結果を送信する。
【００３２】
したがって、電気測定部と制御部などを備えた電気測定装置を各分岐ブレーカ毎に配設する構成と比較して、当該請求項８，１０に係る電気測定装置の方が制御部などの部品数を削減できる。つまり、当該請求項８，１０に係る電気測定装置を採用した方が、上記比較対象を用いた場合よりも、分電盤（若しくは、分電盤付近）において、当該電気測定装置の設置面積を削減することができる。
【００３３】
また、本発明に係る請求項９および請求項１２に記載の電気測定装置は、外部装置との通信を可能せしめる通信部を備えている。通信部は、制御部が保持していた測定結果を、外部装置へ送信する。
【００３４】
したがって、一の電気測定装置から外部装置へと、電気測定装置に対して設定されている一の実アダプタ番号を用いて、複数の電気測定部による測定結果を送信することができる。
【００３５】
また、本発明に係る請求項１１に記載の電気測定装置では、制御部は、各電気測定部に対する識別情報が設定されている。そして、制御部は、識別情報毎に、当該識別情報に対応する電気測定部からの測定結果を管理する。
【００３６】
したがって、一の電気測定装置から外部装置へと、電気測定装置に対して設定されている一の実アダプタ番号を用いて、複数の電気測定部による測定結果を識別情報で区別した状態で送信することができる。
【００３７】
また、本発明に係る請求項１３に記載の電気測定装置では、通信部は、電力線通信を行うＰＬＣ部である。
【００３８】
したがって、分電盤から家屋に配設されている電力線を有効活用して、同じ電力線に接続される他の外部端末と信号の送受信を行うことができる。
【発明を実施するための最良の形態】
【００３９】
複数の電気機器を使用する一般家屋等には、分電盤が配置される。分電盤の内部に配置された複数の分岐ブレーカを介して、主幹線路を複数の分岐線路に分岐接続する。主幹線路には受電設備から電力が供給され、各分岐線路には家屋内に設けられたコンセントやＯＡタップが接続され、これらコンセント等には電気機器が接続される。そして、分岐ブレーカを介して各電気機器に電力が供給される。また、電気機器への電力負荷が過剰となって分岐線路に所定値以上の電力が供給された場合には、分岐ブレーカが動作して当該分岐線路への電力供給が遮断される。
【００４０】
本発明は、分電盤内の複数の分岐ブレーカから各電気機器へ供給される供給電気量を測定する電気測定装置に関するものである。以下、この発明をその実施の形態を示す図面に基づいて具体的に説明する。
【００４１】
＜実施の形態１＞
図１は、本実施の形態の形態に係る電気測定装置１００の構成を示すブロック図である。なお、本実施の形態では、分岐ブレーカ１５０Ａ，１５０Ｂ，１５０Ｃの数を３つとしているが、当該数に限定される必要は無い。
【００４２】
分電盤内に配設される分岐ブレーカ１５０Ａ，１５０Ｂ，１５０Ｃを介して、主幹線路を各分岐線路１６０Ａ，１６０Ｂ，１６０Ｃに分岐接続する。分岐ブレーカ１５０Ａ，１５０Ｂ，１５０Ｃから分岐線路１６０Ａ，１６０Ｂ，１６０Ｃを介して各電気機器に供給される電力・電流等の電気量（以下、供給電気量と称する）を把握するための電気測定装置１００の構成は、次の通りである。
【００４３】
図１に示すように、電気測定装置１００は、電気測定部１０Ａ，１０Ｂ，１０Ｃと、マトリックススイッチ（切替え部と把握できる）２０と、制御部３０と、ＰＬＣ部４０と、プラグ５０とから構成されている。
【００４４】
電気測定部１０Ａ，１０Ｂ，１０Ｃは、分岐ブレーカ１５０Ａ，１５０Ｂ，１５０Ｃの数と同数だけ配設されている。各電気測定部１０Ａ，１０Ｂ，１０Ｃは、各分岐ブレーカ１５０Ａ，１５０Ｂ，１５０Ｃからの供給電気量の各々を測定対象とする。具体的に、電気測定部１０Ａは、分岐ブレーカ１５０Ａから供給される供給電気量を測定対象とし、電気測定部１０Ｂは、分岐ブレーカ１５０Ｂから供給される供給電気量を測定対象とし、電気測定部１０Ｃは、分岐ブレーカ１５０Ｃから供給される供給電気量を測定対象としている。
【００４５】
制御部３０は、電気測定装置１００全体を制御するマイコンである。制御部３０は、後述するように、切替え信号によりマトリックススイッチ２０における切り替え動作を制御することができる。また、制御部３０では、電気測定部１０Ａ，１０Ｂ，１０Ｃにおいて測定された測定結果を管理することができる。具体的に、制御部３０には、各電気測定部１０Ａ，１０Ｂ，１０Ｃに対する識別情報（以下、仮想アダプタ番号と称する）が設定登録されている。そして、制御部３０は、仮想アダプタ番号毎に、当該仮想アダプタ番号に対応する電気測定部１０Ａ，１０Ｂ，１０Ｃからの測定結果を、当該仮想アダプタ番号と関連付けて管理する。
【００４６】
マトリックススイッチ２０は、電気測定部１０Ａ，１０Ｂ，１０Ｃと制御部３０との間に配設される。ここで、マトリックススイッチとは、複数の入力端子と複数の出力端子とを内部的に接続する回路ＩＣである。この接続は制御端子に入力される切り替え信号によって制御される。マトリックススイッチ２０は、電気測定部１０Ａ，１０Ｂ，１０Ｃと制御部３０との択一的な通信のための接続を、順次切替えることができる。当該択一的な接続時において、電気測定部１０Ａ，１０Ｂ，１０Ｃは、制御部３０へ自器における測定結果を送信する。なお、当該マトリックススイッチ２０の代わりに、セレクタを採用しても良い。
【００４７】
ＰＬＣ部４０は、外部装置との通信を行う通信部である。プラグ５０はコンセントに接続され、ＰＬＣ部４０は、プラグ５０および家屋内に配設されている電力線を介して、他のＰＬＣ通信機器と、電力線通信（ＰＬＣ：Ｐｏｗｅｒ  Ｌｉｎｅ  Ｃｏｍｍｕｎｉｃａｔｉｏｎ）を行う。ＰＬＣ部４０は、制御部３０が保持・管理していた測定結果を、仮想アダプタ番号と共に外部装置へ送信する。
【００４８】
次に、本実施の形態に係る電気測定装置１００の動作を説明する。
【００４９】
電気測定部１０Ａ，１０Ｂ，１０Ｃは、常時、各分岐ブレーカ１５０Ａ，１５０Ｂ，１５０Ｃから供給される電気供給量を測定している。また、制御部３０には、各電気測定部１０Ａ，１０Ｂ，１０Ｃに対する仮想アダプタ番号が設定されている。たとえば、制御部３０には、電気測定部１０Ａに対して仮想アダプタ番号ＩＤＡが設定されている。また、制御部３０には、電気測定部１０Ｂに対して仮想アダプタ番号ＩＤＢが設定されている。さらに、制御部３０には、電気測定部１０Ｃに対して仮想アダプタ番号ＩＤＣが設定されている。
【００５０】
さて、当該測定開始時点Ｔｏから１０秒（時刻Ｔ１と称する）経過したとき、制御部３０は、マトリックススイッチ２０に対して、切替え信号ＳＥＬとして、第一の切替え信号を送信する。当該第一の切替え信号の受信により、マトリックススイッチ２０は、電気測定部１０Ａと制御部３０とを接続する接続切り替えを行う（図２参照）。
【００５１】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻Ｔｏから時刻Ｔ１までの積算値を送信する。制御部３０では、第一の切替え信号送信後に受信した電気測定部１０Ａからの電気供給量の積算値を、仮想アダプタ番号ＩＤＡと関連付けて保持・管理する。
【００５２】
制御部３０が電気測定部１０Ａからの電気供給量を受信すると、当該制御部３０は、マトリックススイッチ２０に対して、切替え信号ＳＥＬとして、第二の切替え信号を送信する。当該第二の切替え信号の受信により、マトリックススイッチ２０は、電気測定部１０Ｂと制御部３０とを接続する接続切り替えを行う（図３参照）。
【００５３】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻Ｔｏから時刻Ｔ１までの積算値を送信する。制御部３０では、第二の切替え信号送信後に受信した電気測定部１０Ｂからの電気供給量の積算値を、仮想アダプタ番号ＩＤＢと関連付けて保持・管理する。
【００５４】
制御部３０が電気測定部１０Ｂからの電気供給量を受信すると、当該制御部３０は、マトリックススイッチ２０に対して、切替え信号ＳＥＬとして、第三の切替え信号を送信する。当該第三の切替え信号の受信により、マトリックススイッチ２０は、電気測定部１０Ｃと制御部３０とを接続する接続切り替えを行う（図４参照）。
【００５５】
当該接続切替え処理により、電気測定部１０Ｃと制御部３０との間での双方向性の信号ＴＸ、ＲＸの送受信が可能となる。そこで、当該接続切替え処理の後、電気測定部１０Ｃは、マトリックススイッチ２０を介して制御部３０へ、当該電気測定部１０Ｃで測定した電気供給量の時刻Ｔｏから時刻Ｔ１までの積算値を送信する。制御部３０では、第三の切替え信号送信後に受信した電気測定部１０Ｃからの電気供給量の積算値を、仮想アダプタ番号ＩＤＣと関連付けて保持・管理する。
【００５６】
さて、上記測定開始時点Ｔｏから２０秒（時刻Ｔ２と称する）経過したとき、制御部３０は、マトリックススイッチ２０に対して、切替え信号ＳＥＬとして、第一の切替え信号を送信する。当該第一の切替え信号の受信により、マトリックススイッチ２０は、電気測定部１０Ａと制御部３０とを接続する接続切り替えを行う（図２参照）。
【００５７】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻Ｔ１から時刻Ｔ２までの積算値を送信する。制御部３０では、第一の切替え信号送信後に受信した電気測定部１０Ａからの電気供給量の積算値を、仮想アダプタ番号ＩＤＡと関連付けて保持・管理する。
【００５８】
制御部３０が電気測定部１０Ａからの電気供給量を受信すると、当該制御部３０は、マトリックススイッチ２０に対して、切替え信号ＳＥＬとして、第二の切替え信号を送信する。当該第二の切替え信号の受信により、マトリックススイッチ２０は、電気測定部１０Ｂと制御部３０とを接続する接続切り替えを行う（図３参照）。
【００５９】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻Ｔ１から時刻Ｔ２までの積算値を送信する。制御部３０では、第二の切替え信号送信後に受信した電気測定部１０Ｂからの電気供給量の積算値を、仮想アダプタ番号ＩＤＢと関連付けて保持・管理する。
【００６０】
制御部３０が電気測定部１０Ｂからの電気供給量を受信すると、当該制御部３０は、マトリックススイッチ２０に対して、切替え信号ＳＥＬとして、第三の切替え信号を送信する。当該第三の切替え信号の受信により、マトリックススイッチ２０は、電気測定部１０Ｃと制御部３０とを接続する接続切り替えを行う（図４参照）。
【００６１】
当該接続切替え処理により、電気測定部１０Ｃと制御部３０との間での双方向性の信号ＴＸ、ＲＸの送受信が可能となる。そこで、当該接続切替え処理の後、電気測定部１０Ｃは、マトリックススイッチ２０を介して制御部３０へ、当該電気測定部１０Ｃで測定した電気供給量の時刻Ｔ１から時刻Ｔ２までの積算値を送信する。制御部３０では、第三の切替え信号送信後に受信した電気測定部１０Ｃからの電気供給量の積算値を、仮想アダプタ番号ＩＤＣと関連付けて保持・管理する。
【００６２】
このように、１０秒間隔毎に、上記接続切替え処理および電気供給量の送信処理を繰り返し実行する。そして、上記測定開始時点Ｔｏから６０秒経過後には、制御部３０には、図５に例示するような電気供給量に関するテーブル情報が保持・管理される。図５に示すように、各電気測定部１０Ａ，１０Ｂ，１０Ｃからの１０秒毎の測定結果（電気供給量の積算値：ワット（Ｗ））が、仮想アダプタ番号ＩＤＡ，ＩＤＢ，ＩＤＣ毎に、管理・保持されている。
【００６３】
制御部３０は、所定時間（上記例では１分間）の間、各電気測定部１０Ａ，１０Ｂ，１０Ｃから送信される測定結果（図５参照）を随時保持した後、ＰＬＣ部４０は、プラグ５０および電力線を介して、当該図５に示す１分間のデータを、他のコンセント等に接続されているサーバ（外部装置と把握できる）へと送信する。つまり、制御部３０が１分間保持していた１０秒毎の各電気測定部１０Ａ，１０Ｂ，１０Ｃにおける測定結果を、仮想アダプタ番号ＩＤＡ，ＩＤＢ，ＩＤＣと関連付けて、サーバへ送信する。
【００６４】
なお、サーバへの当該送信処理は、電気測定装置１００に設定されている一の実アダプタ番号を用いて実施される。つまり、電力線通信におけるルーティングは、一つの実アダプタ番号に対してのみ実施される。
【００６５】
また、上記サーバへのデータ送信処理後においても、１０秒間隔毎の上記接続切替え処理および当該接続切替え処理後の電気供給量の制御部３０への送信処理と、１分間隔毎の当該１分間保持していた電気供給量情報のサーバへの送信処理とを、繰り返し実行する。
【００６６】
以上のように、本実施の形態に係る電気測定装置１００は、電気測定部１０Ａ，１０Ｂ，１０Ｃと制御部３０との択一的な接続を順次切替えることができるマトリックススイッチ２０を備えている。そして、上記択一的な接続時において、電気測定部１０Ａ，１０Ｂ，１０Ｃは、制御部３０へ測定結果を送信している。
【００６７】
したがって、図６に示すように、電気測定部１０と制御部３０とＰＬＣ部４０とプラグ５０とを備えた電気測定装置１１０を各分岐ブレーカ毎に配設する構成（比較構成と称する）と比較して、本実施の形態の方が、制御部３０とＰＬＣ部４０とプラグ５０の数を削減できる。つまり、本実施の形態を採用した方が、上記比較構成を用いた場合よりも、分電盤（若しくは、分電盤付近）において、当該電気測定装置１００の設置面積を削減することができる。
【００６８】
また、本実施の形態に係る電気測定装置１００では、制御部３０は、仮想アダプタ番号ＩＤＡ，ＩＤＢ，ＩＤＣ毎に、当該仮想アダプタ番号ＩＤＡ，ＩＤＢ，ＩＤＣに対応する電気測定部１０Ａ，１０Ｂ，１０Ｃからの測定結果を管理している。そして、所定時間経過毎に、ＰＬＣ部４０は、制御部３０が保持していた前記測定結果を、仮想アダプタ番号ＩＤＡ，ＩＤＢ，ＩＤＣと共にサーバへ送信する。
【００６９】
したがって、複数の電気測定部１０Ａ，１０Ｂ，１０Ｃの測定結果を、一の電気測定装置１００からサーバへと送信することができる。つまり、電気測定装置１００に対して設定されている一の実アダプタ番号を用いて、複数の電気測定部１０Ａ，１０Ｂ，１０Ｃの測定結果をサーバへと送信することができる。
【００７０】
また、本実施の形態に係る電気測定装置１００では、制御部３０は、各電気測定部１０Ａ〜１０Ｃに対する識別情報（仮想アダプタ番号）が設定されており、識別情報毎に、当該識別情報に対応する電気測定部１０Ａ〜１０Ｃからの測定結果を管理する。
【００７１】
したがって、一の電気測定装置１００からサーバへと、電気測定装置１００に対して設定されている一の実アダプタ番号を用いて、複数の電気測定部１０Ａ〜１０Ｃによる測定結果を識別情報で区別した状態で送信することができる。
【００７２】
また、本実施の形態に係る電気測定装置１００は、外部端末と電力線通信を行う。したがって、分電盤から家屋に配設されている電力線を有効活用して、同じ電力線に接続される他の外部端末と信号の送受信を行うことができる。
【００７３】
なお、本実施の形態では、１０秒間隔で制御部３０が測定値を読み込み、１分間隔でＰＬＣ部４０が測定値をサーバに送信する場合について説明した。当該「１０秒間隔」および「１分間隔」は、実施環境等に応じて、任意の値に変更・設定されることは言うまでも無い。
【００７４】
＜実施の形態２＞
図７は、本実施の形態の形態に係る電気測定装置２００の構成を示すブロック図である。なお、本実施の形態では、分岐ブレーカ１５０Ａ，１５０Ｂ，１５０Ｃ，１５０Ｄの数を４つとしているが、当該数に限定される必要は無い。
【００７５】
分電盤内に配設される分岐ブレーカ１５０Ａ，１５０Ｂ，１５０Ｃ，１５０Ｄを介して、主幹線路を各分岐線路１６０Ａ，１６０Ｂ，１６０Ｃ，１６０Ｄに分岐接続する。分岐ブレーカ１５０Ａ，１５０Ｂ，１５０Ｃ，１５０Ｄから分岐線路１６０Ａ，１６０Ｂ，１６０Ｃ，１６０Ｄを介して各電気機器に供給される電力・電流等の電気量（以下、供給電気量と称する）を把握するための電気測定装置２００の構成は、次の通りである。
【００７６】
図７に示すように、電気測定装置２００は、電気測定部１０Ａ，１０Ｂと、マトリックススイッチ（第二の切替え部と把握できる）２０と、制御部３０と、ＰＬＣ部４０と、プラグ５０と、マトリックススイッチ（第一の切替え部と把握できる）６０とから構成されている。
【００７７】
電気測定部１０Ａ，１０Ｂは、分岐ブレーカ１５０Ａ，１５０Ｂ，１５０Ｃ，１５０Ｄの数よりも少ない数だけ配設されている。なお、本実施の形態では、分岐ブレーカ１５０Ａ，１５０Ｂ，１５０Ｃ，１５０Ｄの数は「４」であり、電気測定部１０Ａ，１０Ｂの数は、分岐ブレーカ１５０Ａ，１５０Ｂ，１５０Ｃ，１５０Ｄの数よりも少ない「２」とする。ここで、当該分岐ブレーカ１５０Ａ，１５０Ｂ，１５０Ｃ，１５０Ｄの数および当該電気測定部１０Ａ，１０Ｂの数は、任意の値に変更可能である。ただし、電気測定部１０Ａ，１０Ｂの数は、分岐ブレーカ１５０Ａ，１５０Ｂ，１５０Ｃ，１５０Ｄの数よりも少なくなっている。各電気測定部１０Ａ，１０Ｂは、各分岐ブレーカ１５０Ａ，１５０Ｂ，１５０Ｃ，１５０Ｄからの供給電気量の各々を測定対象とする。
【００７８】
制御部３０は、電気測定装置２００全体を制御するマイコンである。制御部３０は、後述するように、切替え信号によりマトリックススイッチ６０およびマトリックススイッチ２０における切り替え動作を各々制御することができる。また、制御部３０では、電気測定部１０Ａ，１０Ｂにおいて測定された測定結果を管理することができる。具体的に、制御部３０には、各電気測定部１０Ａ，１０Ｂに対する識別情報（以下、仮想アダプタ番号と称する）が設定登録されている。そして、制御部３０は、仮想アダプタ番号毎に、当該仮想アダプタ番号に対応する電気測定部１０Ａ，１０Ｂからの測定結果を、当該仮想アダプタ番号と関連付けて管理する。なお、制御部３０は、各分岐ブレーカ１５０Ａ，１５０Ｂ，１５０Ｃ，１５０Ｄ毎に、電気測定部１０Ａ，１０Ｂからの測定結果を管理することもできる。
【００７９】
マトリックススイッチ２０は、電気測定部１０Ａ，１０Ｂと制御部３０との間に配設される。そして、マトリックススイッチ２０は、電気測定部１０Ａ，１０Ｂと制御部３０との択一的な通信のための接続を、順次切替えることができる。当該択一的な接続時において、電気測定部１０Ａ，１０Ｂは、制御部３０へ自器における測定結果を送信する。なお、当該マトリックススイッチ２０の代わりに、セレクタを採用しても良い。
【００８０】
また、マトリックススイッチ６０は、分岐ブレーカ１５０Ａ，１５０Ｂ，１５０Ｃ，１５０Ｄと電気測定部１０Ａ，１０Ｂとの間に配設される。そして、マトリックススイッチ６０は、電気測定部１０Ａ，１０Ｂの上記測定対象を切替えることができる。
【００８１】
ＰＬＣ部４０は、外部装置との通信を行う通信部である。プラグ５０はコンセントに接続され、ＰＬＣ部４０は、プラグ５０および家屋内に配設されている電力線を介して、他のＰＬＣ通信機器と、電力線通信（ＰＬＣ）を行う。ＰＬＣ部４０は、制御部３０が保持・管理していた測定結果を、仮想アダプタ番号と共に外部装置へ送信する。
【００８２】
次に、本実施の形態に係る電気測定装置２００の動作を、図８のタイミングチャートを用いて説明する。
【００８３】
電気測定部１０Ａ，１０Ｂは、常に、各分岐ブレーカ１５０Ａ，１５０Ｂ，１５０Ｃ，１５０Ｄの何れかから供給される電気供給量を測定している。また、本実施の形態では、制御部３０は、各測定対象１６０Ａ，１６０Ｂ，１６０Ｃ，１６０Ｄに対する仮想アダプタ番号（識別情報と把握できる）が設定されている。本実施の形態では、たとえば、制御部３０には、分岐線路１６０Ａ（または分岐ブレーカ１５０Ａ）に対して仮想アダプタ番号ＩＤＡが設定されている。また、制御部３０には、分岐線路１６０Ｂ（または分岐ブレーカ１５０Ｂ）に対して仮想アダプタ番号ＩＤＢが設定されている。また、制御部３０には、分岐線路１６０Ｃ（または分岐ブレーカ１５０Ｃ）に対して仮想アダプタ番号ＩＤＣが設定されている。さらに、制御部３０には、分岐線路１６０Ｄ（または分岐ブレーカ１５０Ｄ）に対して仮想アダプタ番号ＩＤＤが設定されている。
【００８４】
また、制御部３０には、電気測定部１０Ａ，１０Ｂにおける測定対象１６０Ａ，１６０Ｂ，１６０Ｃ，１６０Ｄの連続測定時間が設定されている。本実施の形態では、動作中は当該連続測定時間は固定的であるが、ユーザにより外部操作により、当該連続測定時間は、所望の値として設定される。本実施の形態では、当該連続測定時間を１０秒とする。
【００８５】
後述するように、制御部３０は、所定の電気測定部１０Ａ，１０Ｂに一の測定対象１６０Ａ，１６０Ｂ，１６０Ｃ，１６０Ｄを上記連続測定時間測定させた後、当該所定の電気測定部１０Ａ，１０Ｂに他の測定対象１６０Ａ，１６０Ｂ，１６０Ｃ，１６０Ｄを上記連続測定時間測定させるように、マトリックススイッチ６０を制御する。具体的には、次の通りである。
【００８６】
当該測定開始時点Ｔｏにおいて、制御部３０は、マトリックススイッチ６０に対して、切替え信号ＳＥＬ２として、第一の切替え信号を送信する。当該第一の切替え信号の受信により、マトリックススイッチ６０は、電気測定部１０Ａによる分岐線路１６０Ａに流れる電気供給量の測定および電気測定部１０Ｂによる分岐線路１６０Ｃに流れる電気供給量の測定が可能となるように、接続切り替えを行う（図９参照）。
【００８７】
当該接続切替え処理の後、電気測定部１０Ａは、時刻Ｔｏから時刻Ｔ１までの間（１０秒間）、分岐線路１６０Ａに流れる電気供給量を測定する。これに対して、電気測定部１０Ｂは、時刻Ｔｏから時刻Ｔ１までの間（１０秒間）、分岐線路１６０Ｃに流れる電気供給量を測定する。
【００８８】
さて、当該測定開始時点Ｔｏから１０秒（時刻Ｔ１と称する）経過したとき、制御部３０は、マトリックススイッチ２０に対して、切替え信号ＳＥＬ１として、第二の切替え信号を送信する。当該第二の切替え信号の受信により、マトリックススイッチ２０は、電気測定部１０Ａと制御部３０とを接続する接続切り替えを行う。
【００８９】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻Ｔｏから時刻Ｔ１までの積算値を送信する。制御部３０では、第一，二の切替え信号送信後に受信した電気測定部１０Ａからの電気供給量の積算値を、仮想アダプタ番号ＩＤＡと関連付けて保持・管理する。
【００９０】
制御部３０が電気測定部１０Ａからの電気供給量を受信すると、当該制御部３０は、マトリックススイッチ２０に対して、切替え信号ＳＥＬ１として、第三の切替え信号を送信する。当該第三の切替え信号の受信により、マトリックススイッチ２０は、電気測定部１０Ｂと制御部３０とを接続する接続切り替えを行う。
【００９１】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻Ｔｏから時刻Ｔ１までの積算値を送信する。制御部３０では、第一，三の切替え信号送信後に受信した電気測定部１０Ｂからの電気供給量の積算値を、仮想アダプタ番号ＩＤＣと関連付けて保持・管理する。
【００９２】
さて、当該時刻Ｔ１において、制御部３０は、マトリックススイッチ６０に対して、切替え信号ＳＥＬ２として、第四の切替え信号を送信する。当該第四の切替え信号の受信により、マトリックススイッチ６０は、電気測定部１０Ａによる分岐線路１６０Ｂに流れる電気供給量の測定および電気測定部１０Ｂによる分岐線路１６０Ｄに流れる電気供給量の測定が可能となるように、接続切り替えを行う（図１０参照）。
【００９３】
当該接続切替え処理の後、電気測定部１０Ａは、時刻Ｔ１から時刻Ｔ２までの間（１０秒間）、分岐線路１６０Ｂに流れる電気供給量を測定する。これに対して、電気測定部１０Ｂは、時刻Ｔ１から時刻Ｔ２までの間（１０秒間）、分岐線路１６０Ｄに流れる電気供給量を測定する。
【００９４】
さて、時刻Ｔ１から１０秒（時刻Ｔ２と称する）経過したとき、制御部３０は、マトリックススイッチ２０に対して、切替え信号ＳＥＬ１として、上記第二の切替え信号を送信する。当該第二の切替え信号の受信により、マトリックススイッチ２０は、電気測定部１０Ａと制御部３０とを接続する接続切り替えを行う。
【００９５】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻Ｔ１から時刻Ｔ２までの積算値を送信する。制御部３０では、第四，二の切替え信号送信後に受信した電気測定部１０Ａからの電気供給量の積算値を、仮想アダプタ番号ＩＤＢと関連付けて保持・管理する。
【００９６】
制御部３０が電気測定部１０Ａからの電気供給量を受信すると、当該制御部３０は、マトリックススイッチ２０に対して、切替え信号ＳＥＬ１として、上記第三の切替え信号を送信する。当該第三の切替え信号の受信により、マトリックススイッチ２０は、電気測定部１０Ｂと制御部３０とを接続する接続切り替えを行う。
【００９７】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻Ｔ１から時刻Ｔ２までの積算値を送信する。制御部３０では、第四，三の切替え信号送信後に受信した電気測定部１０Ｂからの電気供給量の積算値を、仮想アダプタ番号ＩＤＤと関連付けて保持・管理する。
【００９８】
さて、時刻Ｔ２において、制御部３０は、マトリックススイッチ６０に対して、切替え信号ＳＥＬ２として、上記第一の切替え信号を送信する。当該第一の切替え信号の受信により、マトリックススイッチ６０は、電気測定部１０Ａによる分岐線路１６０Ａに流れる電気供給量の測定および電気測定部１０Ｂによる分岐線路１６０Ｃに流れる電気供給量の測定が可能となるように、接続切り替えを行う（図９参照）。
【００９９】
当該接続切替え処理の後、電気測定部１０Ａは、時刻Ｔ２から時刻Ｔ３までの間（１０秒間）、分岐線路１６０Ａに流れる電気供給量を測定する。これに対して、電気測定部１０Ｂは、時刻Ｔ２から時刻Ｔ３までの間（１０秒間）、分岐線路１６０Ｃに流れる電気供給量を測定する。
【０１００】
さて、時刻Ｔ２から１０秒（時刻Ｔ３と称する）経過したとき、制御部３０は、マトリックススイッチ２０に対して、切替え信号ＳＥＬ１として、上記第二の切替え信号を送信する。当該第二の切替え信号の受信により、マトリックススイッチ２０は、電気測定部１０Ａと制御部３０とを接続する接続切り替えを行う。
【０１０１】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻Ｔ２から時刻Ｔ３までの積算値を送信する。制御部３０では、第一，二の切替え信号送信後に受信した電気測定部１０Ａからの電気供給量の積算値を、仮想アダプタ番号ＩＤＡと関連付けて保持・管理する。
【０１０２】
制御部３０が電気測定部１０Ａからの電気供給量を受信すると、当該制御部３０は、マトリックススイッチ２０に対して、切替え信号ＳＥＬ１として、上記第三の切替え信号を送信する。当該第三の切替え信号の受信により、マトリックススイッチ２０は、電気測定部１０Ｂと制御部３０とを接続する接続切り替えを行う。
【０１０３】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻Ｔ２から時刻Ｔ３までの積算値を送信する。制御部３０では、第一，三の切替え信号送信後に受信した電気測定部１０Ｂからの電気供給量の積算値を、仮想アダプタ番号ＩＤＣと関連付けて保持・管理する。
【０１０４】
このように、図８に示すタイミングチャートに従って、上記各切替え処理、測定処理、およびデータの送信処理を繰り返し実施する。そして、上記測定開始時点Ｔｏから６０秒経過後には、制御部３０には、図１１に例示するような電気供給量に関するテーブル情報が保持・管理される。図１１に示すように、各測定対象１６０Ａ〜１６０Ｄの１０秒毎の測定結果（電気供給量の積算値：ワット（Ｗ））が、仮想アダプタ番号ＩＤＡ〜ＩＤＤ毎に、管理・保持されている。
【０１０５】
さて、図１１より分かるように、各測定対象１６０Ａ〜１６０Ｄにおいて、測定されていない期間が存在する。そこで、各測定対象１６０Ａ〜１６０Ｄ毎に、制御部３０は、第一の期間の所定の測定対象の測定結果である第一の測定値と、第一の期間経過後から所定の時間後に開始された第二の期間の所定の測定対象の測定結果である第二の測定値とを用いて、所定の期間における測定対象の仮想測定値を求める。
【０１０６】
たとえば、制御部３０は、測定対象１６０Ａ（仮想アダプタ番号ＩＤＡ）のＴｏからＴ１までの測定結果として「１００」を有している。さらに、制御部３０は、測定対象１６０ＡのＴ２からＴ３までの測定結果として「３００」を有している。そこで、制御部３０は、当該「１００」および「３００」を用いて、時刻Ｔ１から時刻Ｔ２までの測定対象１６０Ａの仮想測定値を求める。たとえば、制御部３０は、「１００」と「３００」との平均を算出（＝｛１００＋３００｝／２）することにより、当該仮想測定値「２００」を求める。
【０１０７】
上記のように方法により、制御部３０は、図１１のテーブルの空白部分を仮想測定値を求めることにより、埋める。
【０１０８】
当該仮想測定値を全て求めた後、ＰＬＣ部４０は、プラグ５０および電力線を介して、空白が埋められた図１１に示す１分間のデータを、他のコンセント等に接続されているサーバ（外部装置と把握できる）へと送信する。つまり、制御部３０が１分間保持していた１０秒毎の各測定対象１６０Ａ〜１６０Ｄの測定結果を、仮想測定値と共に、仮想アダプタ番号ＩＤＡ〜ＩＤＤと関連付けて、サーバへ送信する。
【０１０９】
なお、サーバへの当該送信処理は、電気測定装置１００に設定されている一の実アダプタ番号を用いて実施される。つまり、電力線通信におけるルーティングは、一つの実アダプタ番号に対してのみ実施される。
【０１１０】
また、上記サーバへのデータ送信処理後においても、１０秒間隔毎の上記接続切替え処理、接続切替え処理後の電気供給量の測定、接続切替え処理後の制御部３０への送信処理、仮想測定値の算出、および１分間隔毎の当該１分間保持していた電気供給量情報のサーバへの送信処理は、繰り返し実行される。
【０１１１】
以上のように、本実施の形態に係る電気測定装置２００は、各分岐ブレーカ１５０Ａ〜１５０Ｄからの供給電気量の各々を測定する電気測定部１０Ａ，１０Ｂを備えている。そして、マトリックススイッチ６０は、分岐ブレーカ１５０Ａ〜１５０Ｄと電気測定部１０Ａ，１０Ｂとの間に配設され、電気測定部１０Ａ，１０Ｂの測定対象１６０Ａ〜１６０Ｄを切替えることができる。
【０１１２】
したがって、電気測定部１０Ａ，１０Ｂの配設数を、分岐ブレーカ１５０Ａ〜１５０Ｄの数よりも少なくすることができる。よって、本実施の形態を採用することにより、分電盤（若しくは、分電盤付近）において、当該電気測定装置２００の設置面積を削減することができる。
【０１１３】
また、本実施の形態に係る電気測定装置２００では、制御部３０は、電気測定部１０Ａ，１０Ｂにおける測定対象１６０Ａ〜１６０Ｄの連続測定時間（上記では１０秒）を有している。そして、制御部３０は、所定の電気測定部１０Ａ，１０Ｂに一の測定対象１６０Ａ〜１６０Ｄを連続測定時間測定させた後、当該所定の電気測定部１０Ａ，１０Ｂに他の測定対象１６０Ａ〜１６０Ｄを連続測定時間測定させるように、マトリックススイッチ６０を制御している。
【０１１４】
したがって、全ての測定対象１６０Ａ〜１６０Ｄを均等に測定することができる。
【０１１５】
なお、本実施の形態では、各動作のタイミングは「１０秒間隔」および「１分間隔」に基づいて実施されていた。しかし、これらの時間間隔は、実施環境等に応じて、任意の値に変更・設定されることは言うまでも無い。
【０１１６】
しかしながら、制御部３０は、電気測定部１０Ａ，１０Ｂにおける測定対象１６０Ａ〜１６０Ｄの連続測定最小時間を変更可能な値として設定することができ、測定対象１６０Ａ〜１６０Ｄの連続測定時間が、当該連続測定最小時間未満とならないように、上記マトリックススイッチ６０を制御することが望ましい。
【０１１７】
当該連続測定最小時間は、たとえば次のようにして決定される。
【０１１８】
電気測定部１０Ａ，１０Ｂでは、測定されるアナログ値の電気供給量をデジタル値として検出する。つまり、電気測定部１０Ａ，１０Ｂでは、アナログ値の積算値に応じて、所定の量子化単位で電気供給量が検出される。たとえば、量子化単位が「５」単位であるなら、積算値が０以上５未満なら、デジタル量である電気供給量は「０」で検出され、積算値が５以上１０未満であるなら、デジタル量である電気供給量は「５」で検出され、積算値が１０以上１５未満であるなら、デジタル量である電気供給量は「１０」で検出される。
【０１１９】
もし、電気機器が待機状態であり、当該電気機器の待機電力が少ない場合において、連続測定時間があまりにも小さいと、電気測定部１０Ａ，１０Ｂでの測定値の積算値は、最小の量子化値（上記の例では「５」）までも到達しない。つまり、このような場合には、電気機器が待機電力を消費しているのにも係らず、当該電気機器に供給される電気供給量は、電気測定部１０Ａ，１０Ｂにおいて常にゼロとして検出される。
【０１２０】
そこで、電気機器に極めて小さい待機電力が供給されている場合においても、電気測定部１０Ａ，１０Ｂが当該待機電力の電気供給量を所定の値として測定できるようにする必要がある。つまり、電気測定部１０Ａ，１０Ｂでの当該待機電力の測定値の積算値が、最小の量子化値（上記の例では「５」）に到達ことができる程度の長さの連続測定時間を設ける必要がある。当該連続測定時間の最小のものが、連続測定最小時間であり、当該観点から、当該連続測定最小時間が決定される。
【０１２１】
また、本実施の形態に係る電気測定装置２００では、現実に測定された電気供給量の測定値を用いて仮想測定値を求め、当該仮想測定値を測定されていない期間の電気供給量として採用している。
【０１２２】
したがって、分岐ブレーカ１５０Ａ〜１５０Ｄの数よりも少ない数の電気測定部１０Ａ，１０Ｂにより各電気供給量を測定することにより生じる弊害、つまり電気供給量の測定しない期間が生じるという弊害を、解消することができる。
【０１２３】
また、本実施の形態では、当該仮想測定値は、実際に測定された二つの測定値の平均の算出により導出される。このように、仮想測定値は、極めて簡単な演算処理により導出されるので、仮想測定値が求まるまでの処理の高速化が可能となり、仮想測定値を求める処理による処理負担の軽減も可能となる。
【０１２４】
なお、マトリックススイッチ２０およびＰＬＣ部４０を設けることにより奏される効果は、実施の形態１で説明した内容と同様である。
【０１２５】
＜実施の形態３＞
実施の形態２では、各電気測定部１０Ａ，１０Ｂは、各測定対象１６０Ａ〜１６０Ｄの測定時間を、平等の時間配分で割り振られていた（図８参照）。たとえば、図８の例では、各測定対象１６０Ａ〜１６０Ｄの測定処理は全て、１０秒間の連続測定時間と１０秒間の非連続測定時間との繰り返しにより、構成されている。
【０１２６】
ところで、実際上では各電気機器の使用状況に応じて、分岐ブレーカ１５０Ａ〜１５０Ｄから供給される電気供給量の時間変動が大きくなる場合がある。時間変動が大きい電気供給量の測定に際しては、実施の形態２で説明した仮想測定値による補間は多用することは望ましくない。これは、電気供給量の時間変動が大きい場合には、演算処理により導出される仮想測定値と、当該仮想測定値が補完される期間に実際に供給されている電気供給量の値との間のずれが、大きくなる可能性があるからである。
【０１２７】
そこで、本実施の形態では、分岐ブレーカ１５０Ａ〜１５０Ｄから供給される電気供給量の時間変動が変化を考慮して、各電気測定部１０Ａ，１０Ｂによる各測定対象１６０Ａ〜１６０Ｄの測定時間の、割り振りを動的に変更する。具体的に、制御部３０は、各分岐ブレーカ１５０Ａ〜１５０Ｄから供給される供給電気量の時間変動を各々監視している。そして、当該監視の結果、時間変動が大きい測定対象ほど、電気測定部１０Ａ，１０Ｂにおける所定の単位時間における測定時間を長くするように、マトリックススイッチ６０を制御する。
【０１２８】
なお、実施の形態２で用いた符号と同じ構成・信号等を意味するものは、本実施の形態においても同じ符号を付している。
【０１２９】
以下、本実施の形態に係る電気測定装置の動作を、図１２に示すタイミングチャートを用いて説明する。なお、本実施の形態に係る電気測定装置の構成は、図７に示した実施の形態２に係る電気測定装置２００の構成と同じである。
【０１３０】
実施の形態２で説明した動作を初期動作として行っており、制御部３０は、各分岐ブレーカ１５０Ａ〜１５０Ｄからの電気供給量の時間変動を各々監視している。制御部３０は、分岐ブレーカ１５０Ａから供給される電気供給量の時間変動が最も大きく、分岐ブレーカ１５０Ｂから供給される電気供給量の時間変動が次に大きく、分岐ブレーカ１５０Ｃ，１５０Ｄから供給される電気供給量の時間変動は各々最も小さく、同程度であることを検出したとする。つまり、制御部３０は、分岐ブレーカ１５０Ａにおける電気供給量の時間変動＞分岐ブレーカ１５０Ｂにおける電気供給量の時間変動＞分岐ブレーカ１５０Ｃにおける電気供給量の時間変動≒分岐ブレーカ１５０Ｄにおける電気供給量の時間変動、の関係を検出したとする。
【０１３１】
このような場合には、制御部３０は、たとえば図１２に示すタイミングチャートに従った動作が可能となるように、所定のタイミングで、各マトリックススイッチ２０，６０に対して各切替え信号ＳＥＬ１，ＳＥＬ２を送出する。具体的には、次の通りである。
【０１３２】
上記電気供給量の時間変動の関係を検出した後、時刻ＴＮにおいて、制御部３０は、マトリックススイッチ６０に対して、切替え信号ＳＥＬ２として、第一の切替え信号を送信する。当該第一の切替え信号の受信により、マトリックススイッチ６０は、電気測定部１０Ａによる分岐線路１６０Ａに流れる電気供給量の測定および電気測定部１０Ｂによる分岐線路１６０Ｂに流れる電気供給量の測定が可能となるように、接続切り替えを行う（図１３参照）。
【０１３３】
当該接続切替え処理の後、電気測定部１０Ａは、時刻ＴＮから時刻ＴＮ＋１までの間（１０秒間）、分岐線路１６０Ａに流れる電気供給量を測定する。これに対して、電気測定部１０Ｂは、時刻ＴＮから時刻ＴＮ＋１までの間（１０秒間）、分岐線路１６０Ｂに流れる電気供給量を測定する。
【０１３４】
さて、時刻ＴＮから１０秒（時刻ＴＮ＋１と称する）経過したとき、制御部３０は、マトリックススイッチ２０に対して、切替え信号ＳＥＬ１として、第二の切替え信号を送信する。当該第二の切替え信号の受信により、マトリックススイッチ２０は、電気測定部１０Ａと制御部３０とを接続する接続切り替えを行う。
【０１３５】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻ＴＮから時刻ＴＮ＋１までの積算値を送信する。制御部３０では、第一，二の切替え信号送信後に受信した電気測定部１０Ａからの電気供給量の積算値を、仮想アダプタ番号ＩＤＡと関連付けて保持・管理する。
【０１３６】
制御部３０が電気測定部１０Ａからの電気供給量を受信すると、当該制御部３０は、マトリックススイッチ２０に対して、切替え信号ＳＥＬ１として、第三の切替え信号を送信する。当該第三の切替え信号の受信により、マトリックススイッチ２０は、電気測定部１０Ｂと制御部３０とを接続する接続切り替えを行う。
【０１３７】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻ＴＮから時刻ＴＮ＋１までの積算値を送信する。制御部３０では、第一，三の切替え信号送信後に受信した電気測定部１０Ｂからの電気供給量の積算値を、仮想アダプタ番号ＩＤＢと関連付けて保持・管理する。
【０１３８】
さて、当該時刻ＴＮ＋１において、制御部３０は、マトリックススイッチ６０に対して、切替え信号ＳＥＬ２として、第四の切替え信号を送信する。当該第四の切替え信号の受信により、マトリックススイッチ６０は、電気測定部１０Ａによる分岐線路１６０Ａに流れる電気供給量の測定および電気測定部１０Ｂによる分岐線路１６０Ｃに流れる電気供給量の測定が可能となるように、接続切り替えを行う（図１４参照）。
【０１３９】
当該接続切替え処理の後、電気測定部１０Ａは、時刻ＴＮ＋１から時刻ＴＮ＋２までの間（１０秒間）、分岐線路１６０Ａに流れる電気供給量を引き続き測定する。これに対して、電気測定部１０Ｂは、時刻ＴＮ＋１から時刻ＴＮ＋２までの間（１０秒間）、分岐線路１６０Ｃに流れる電気供給量を測定する。
【０１４０】
さて、時刻ＴＮ＋１から１０秒（時刻ＴＮ＋２と称する）経過したとき、制御部３０は、マトリックススイッチ２０に対して、切替え信号ＳＥＬ１として、上記第二の切替え信号を送信する。当該第二の切替え信号の受信により、マトリックススイッチ２０は、電気測定部１０Ａと制御部３０とを接続する接続切り替えを行う。
【０１４１】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻ＴＮ＋１から時刻ＴＮ＋２までの積算値を送信する。制御部３０では、第四，二の切替え信号送信後に受信した電気測定部１０Ａからの電気供給量の積算値を、仮想アダプタ番号ＩＤＡと関連付けて保持・管理する。
【０１４２】
制御部３０が電気測定部１０Ａからの電気供給量を受信すると、当該制御部３０は、マトリックススイッチ２０に対して、切替え信号ＳＥＬ１として、上記第三の切替え信号を送信する。当該第三の切替え信号の受信により、マトリックススイッチ２０は、電気測定部１０Ｂと制御部３０とを接続する接続切り替えを行う。
【０１４３】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻ＴＮ＋１から時刻ＴＮ＋２までの積算値を送信する。制御部３０では、第四，三の切替え信号送信後に受信した電気測定部１０Ｂからの電気供給量の積算値を、仮想アダプタ番号ＩＤＣと関連付けて保持・管理する。
【０１４４】
さて、時刻ＴＮ＋２において、制御部３０は、マトリックススイッチ６０に対して、切替え信号ＳＥＬ２として、上記第一の切替え信号を送信する。当該第一の切替え信号の受信により、マトリックススイッチ６０は、電気測定部１０Ａによる分岐線路１６０Ａに流れる電気供給量の測定および電気測定部１０Ｂによる分岐線路１６０Ｂに流れる電気供給量の測定が可能となるように、接続切り替えを行う（図１３参照）。
【０１４５】
当該接続切替え処理の後、電気測定部１０Ａは、時刻ＴＮ＋２から時刻ＴＮ＋３までの間（１０秒間）、分岐線路１６０Ａに流れる電気供給量を測定する。これに対して、電気測定部１０Ｂは、時刻ＴＮ＋２から時刻ＴＮ＋３までの間（１０秒間）、分岐線路１６０Ｂに流れる電気供給量を測定する。
【０１４６】
さて、時刻ＴＮ＋２から１０秒（時刻ＴＮ＋３と称する）経過したとき、制御部３０は、マトリックススイッチ２０に対して、切替え信号ＳＥＬ１として、上記第二の切替え信号を送信する。当該第二の切替え信号の受信により、マトリックススイッチ２０は、電気測定部１０Ａと制御部３０とを接続する接続切り替えを行う。
【０１４７】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻ＴＮ＋２から時刻ＴＮ＋３までの積算値を送信する。制御部３０では、第一，二の切替え信号送信後に受信した電気測定部１０Ａからの電気供給量の積算値を、仮想アダプタ番号ＩＤＡと関連付けて保持・管理する。
【０１４８】
制御部３０が電気測定部１０Ａからの電気供給量を受信すると、当該制御部３０は、マトリックススイッチ２０に対して、切替え信号ＳＥＬ１として、上記第三の切替え信号を送信する。当該第三の切替え信号の受信により、マトリックススイッチ２０は、電気測定部１０Ｂと制御部３０とを接続する接続切り替えを行う。
【０１４９】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻ＴＮ＋２から時刻ＴＮ＋３までの積算値を送信する。制御部３０では、第一，三の切替え信号送信後に受信した電気測定部１０Ｂからの電気供給量の積算値を、仮想アダプタ番号ＩＤＢと関連付けて保持・管理する。
【０１５０】
さて、時刻ＴＮ＋３において、制御部３０は、マトリックススイッチ６０に対して、切替え信号ＳＥＬ２として、第五の切替え信号を送信する。当該第五の切替え信号の受信により、マトリックススイッチ６０は、電気測定部１０Ａによる分岐線路１６０Ａに流れる電気供給量の測定および電気測定部１０Ｂによる分岐線路１６０Ｄに流れる電気供給量の測定が可能となるように、接続切り替えを行う（図１５参照）。
【０１５１】
当該接続切替え処理の後、電気測定部１０Ａは、時刻ＴＮ＋３から時刻ＴＮ＋４までの間（１０秒間）、分岐線路１６０Ａに流れる電気供給量を測定する。これに対して、電気測定部１０Ｂは、時刻ＴＮ＋３から時刻ＴＮ＋４までの間（１０秒間）、分岐線路１６０Ｄに流れる電気供給量を測定する。
【０１５２】
さて、時刻ＴＮ＋３から１０秒（時刻ＴＮ＋４と称する）経過したとき、制御部３０は、マトリックススイッチ２０に対して、切替え信号ＳＥＬ１として、上記第二の切替え信号を送信する。当該第二の切替え信号の受信により、マトリックススイッチ２０は、電気測定部１０Ａと制御部３０とを接続する接続切り替えを行う。
【０１５３】
当該接続切替え処理により、電気測定部１０Ａと制御部３０との間での双方向性の信号ＴＸ、ＲＸの送受信が可能となる。そこで、当該接続切替え処理の後、電気測定部１０Ａは、マトリックススイッチ２０を介して制御部３０へ、当該電気測定部１０Ａで測定した電気供給量の時刻ＴＮ＋３から時刻ＴＮ＋４までの積算値を送信する。制御部３０では、第五，二の切替え信号送信後に受信した電気測定部１０Ａからの電気供給量の積算値を、仮想アダプタ番号ＩＤＡと関連付けて保持・管理する。
【０１５４】
制御部３０が電気測定部１０Ａからの電気供給量を受信すると、当該制御部３０は、マトリックススイッチ２０に対して、切替え信号ＳＥＬ１として、上記第三の切替え信号を送信する。当該第三の切替え信号の受信により、マトリックススイッチ２０は、電気測定部１０Ｂと制御部３０とを接続する接続切り替えを行う。
【０１５５】
当該接続切替え処理により、電気測定部１０Ｂと制御部３０との間での双方向性の信号ＴＸ、ＲＸの送受信が可能となる。そこで、当該接続切替え処理の後、電気測定部１０Ｂは、マトリックススイッチ２０を介して制御部３０へ、当該電気測定部１０Ｂで測定した電気供給量の時刻ＴＮ＋３から時刻ＴＮ＋４までの積算値を送信する。制御部３０では、第五，三の切替え信号送信後に受信した電気測定部１０Ｂからの電気供給量の積算値を、仮想アダプタ番号ＩＤＤと関連付けて保持・管理する。
【０１５６】
上記までの処理を１周期として、所定の時間、当該１周期の処理を繰り返し実施する。このように、制御部３０は、時間変動が大きい測定対象ほど、電気測定部１０Ａ，１０Ｂにおける所定の単位時間における測定時間を長くするように、マトリックススイッチ６０を制御している。上記電気供給量の時間変動の大小関係が成立する場合には、図１２に例示するように、電気測定部１０Ａは、測定対象１６０Ａを連続して測定し、電気測定部１０Ｂは、１０秒単位毎に、測定対象１６０Ｂ→測定対象１６０Ｃ→測定対象１６０Ｂ→測定対象１６０Ｄの順に繰り返し測定する。つまり、所定の単位時間当たりにおける、各測定対象の測定時間の比率は、測定対象１６０Ａ：電気測定部１０Ｂ：測定対象１６０Ｃ：測定対象１６０Ｄ＝４：２：１：１、である。
【０１５７】
上記動作を行うことにより、上記測定開始時点ＴＮから６０秒経過後には、制御部３０には、図１６に例示するような電気供給量に関するテーブル情報が保持・管理される。図１６に示すように、各測定対象１６０Ａ〜１６０Ｄの１０秒毎の測定結果（電気供給量の積算値：ワット（Ｗ））が、仮想アダプタ番号ＩＤＡ〜ＩＤＤ毎に、管理・保持されている。
【０１５８】
さて、図１６より分かるように、各測定対象１６０Ｂ〜１６０Ｄにおいて、測定されていない期間が存在する。そこで、各測定対象１６０Ｂ〜１６０Ｄ毎に、制御部３０は、第一の期間の所定の測定対象の測定結果である第一の測定値と、第一の期間経過後から所定の時間後に開始された第二の期間の所定の測定対象の測定結果である第二の測定値とを用いて、所定の期間における測定対象の仮想測定値を求める。
【０１５９】
たとえば、制御部３０は、測定対象１６０Ｂ（仮想アダプタ番号ＩＤＢ）のＴＮからＴＮ＋１までの測定結果として「１００」を有している。さらに、制御部３０は、測定対象１６０ＢのＴＮ＋２からＴＮ＋３までの測定結果として「２００」を有している。そこで、制御部３０は、当該「１００」および「２００」を用いて、時刻ＴＮ＋１から時刻ＴＮ＋２までの測定対象１６０Ａの仮想測定値を求める。たとえば、制御部３０は、「１００」と「２００」との平均を算出（＝｛１００＋２００｝／２）することにより、当該仮想測定値「１５０」を求める。
【０１６０】
また、制御部３０は、測定対象１６０Ｃ（仮想アダプタ番号ＩＤＣ）のＴＮ＋１からＴＮ＋２までの測定結果として「０」を有している。さらに、制御部３０は、測定対象１６０ＣのＴＮ＋５からＴＮ＋６までの測定結果として「５」を有している。そこで、制御部３０は、当該「０」および「５」を用いて、時刻ＴＮ＋２から時刻ＴＮ＋５までの測定対象１６０Ｃの仮想測定値を求める。たとえば、制御部３０は、「０」と「５」との平均を算出（＝｛０＋５｝／２）することにより、当該仮想測定値「２．５」を求める。
【０１６１】
上記のように方法により、制御部３０は、図１６のテーブルの空白部分を仮想測定値を求めることにより、埋める。
【０１６２】
当該仮想測定値を全て求めた後、ＰＬＣ部４０は、プラグ５０および電力線を介して、空白が埋められた図１６に示す１分間のデータを、他のコンセント等に接続されているサーバ（外部装置と把握できる）へと送信する。つまり、制御部３０が１分間保持していた１０秒毎の各測定対象１６０Ａ〜１６０Ｄの測定結果を、仮想測定値と共に、仮想アダプタ番号ＩＤＡ〜ＩＤＤと関連付けて、サーバへ送信する。
【０１６３】
なお、サーバへの当該送信処理は、電気測定装置１００に設定されている一の実アダプタ番号を用いて実施される。つまり、電力線通信におけるルーティングは、一つの実アダプタ番号に対してのみ実施される。
【０１６４】
また、上記サーバへのデータ送信処理後においても、１０秒間隔毎の上記接続切替え処理、接続切替え処理後の電気供給量の測定、接続切替え処理後の制御部３０への送信処理、仮想測定値の算出、および１分間隔毎の当該１分間保持していた電気供給量情報のサーバへの送信処理は、繰り返し実行される。
【０１６５】
以上のように、本実施の形態に係る電気測定装置２００は、初期動作として実施の形態２で説明した動作を行っている。また、制御部３０は、各分岐ブレーカ１５０Ａ〜１５０Ｄからの供給電気量の時間変動を各々監視しており、監視の結果、時間変動が大きい測定対象ほど、電気測定部１０Ａ，１０Ｂにおける所定の単位時間における測定時間を長くするように、マトリックススイッチ６０を制御している。
【０１６６】
したがって、実施の形態２で説明した効果に加えて、次の効果を有する。つまり、本実施の形態では、時間変動が大きい測定対象ほど、仮想測定値導出の多用を抑制している。よって、電気供給量の時間変動が大きな測定対象においては、極力仮想測定値でなく実測定値を取得しているので、当該電気供給量の時間変動が大きな測定対象において正確な電気供給量情報を取得することができる。
【０１６７】
なお、本実施の形態においても、実施の形態２と同様に、制御部３０は、電気測定部１０Ａ，１０Ｂにおける測定対象１６０Ａ〜１６０Ｄの連続測定最小時間を変更可能な値として設定することができ、測定対象１６０Ａ〜１６０Ｄの連続測定時間が、当該連続測定最小時間未満とならないように、上記マトリックススイッチ６０を制御することが望ましい。
【０１６８】
なお、実施の形態２，３において、電気測定部の数は、分岐ブレーカの数よりも少なければ幾つでも良く、複数の分岐ブレーカに対して、電気測定部は一つであっても良い。この場合には、図１７に示すように、電気測定装置２５０は、マトリックススイッチ６０、電気測定部１０、制御部３０、ＰＬＣ部４０およびプラグ５０により構成される。つまり、電気測定部１０が一つだけの構成の場合には、図７の構成と異なり、マトリックススイッチ２０は省略される。換言すれば、電気測定部が２以上の場合は、マトリックススイッチ２０が電気測定装置内に配設される。
【０１６９】
図７の構成の場合において、実施の形態２で説明したように、各測定対称１６０Ａ〜１６０Ｃを均等に測定する場合には、図１８に示すタイミングチャートに従い、制御部３０はマトリックススイッチ６０の切り替え動作を制御する。また、図７の構成の場合において、実施の形態３で説明したように、分岐ブレーカ１５０Ａ〜１５０Ｃからの電気供給量の時間変化を考慮した各測定対称１６０Ａ〜１６０Ｃの測定時間の割り振りを行う場合には、図１９に例示するタイミングチャートに従い、制御部３０はマトリックススイッチ６０の切り替え動作を制御する。なお、制御部３０が、分岐ブレーカ１５０Ａにおける電気供給量の時間変動＞分岐ブレーカ１５０Ｂにおける電気供給量の時間変動≒分岐ブレーカ１５０Ｃにおける電気供給量の時間変動、の関係を検出したとき、制御部３０は図１９に例示する制御を行う。
【図面の簡単な説明】
【０１７０】
【図１】実施の形態１に係る電気測定装置の構成を示す図である。
【図２】制御部と電気測定部との接続の様子を示す図である。
【図３】制御部と電気測定部との接続の様子を示す図である。
【図４】制御部と電気測定部との接続の様子を示す図である。
【図５】制御部で管理・保持されている電気供給量を例示する図である。
【図６】各分岐ブロック毎に電気測定装置が配設される場合を示す図である。
【図７】実施の形態２に係る電気測定装置の構成を示す図である。
【図８】実施の形態２に係る電気測定装置の動作を説明するタイミングチャートである。
【図９】分岐線路と電気測定部との接続の様子を示す図である。
【図１０】分岐線路と電気測定部との接続の様子を示す図である。
【図１１】制御部で管理・保持されている電気供給量を例示する図である。
【図１２】実施の形態３に係る電気測定装置の動作を説明するタイミングチャートである。
【図１３】分岐線路と電気測定部との接続の様子を示す図である。
【図１４】分岐線路と電気測定部との接続の様子を示す図である。
【図１５】分岐線路と電気測定部との接続の様子を示す図である。
【図１６】制御部で管理・保持されている電気供給量を例示する図である。
【図１７】電気測定部が一つである電気測定装置の構成を示す図である。
【図１８】電気測定装置の動作を説明するタイミングチャートである。
【図１９】電気測定装置の動作を説明するタイミングチャートである。
【符号の説明】
【０１７１】
１０，１０Ａ，１０Ｂ，１０Ｃ  電気測定部
２０，６０  マトリックススイッチ
３０  制御部
４０  ＰＬＣ部
５０  プラグ
１００，２００，２５０  電気測定装置
１５０Ａ，１５０Ｂ，１５０Ｃ，１５０Ｄ  分岐ブレーカ
１６０Ａ，１６０Ｂ，１６０Ｃ，１６０Ｄ  分岐線路
【図１】
2010038738.tif 000003
【図２】
2010038738.tif 000004
【図３】
2010038738.tif 000005
【図４】
2010038738.tif 000006
【図５】
2010038738.tif 000007
【図６】
2010038738.tif 000008
【図７】
2010038738.tif 000009
【図８】
2010038738.tif 000010
【図９】
2010038738.tif 000011
【図１０】
2010038738.tif 000012
【図１１】
2010038738.tif 000013
【図１２】
2010038738.tif 000014
【図１３】
2010038738.tif 000015
【図１４】
2010038738.tif 000016
【図１５】
2010038738.tif 000017
【図１６】
2010038738.tif 000018
【図１７】
2010038738.tif 000019
【図１８】
2010038738.tif 000020
【図１９】
2010038738.tif 000021